【手続補正書】
【提出日】平成18年4月28日(2006.4.28)
【手続補正１】
【補正対象書類名】明細書
【補正対象項目名】特許請求の範囲
【補正方法】変更
【補正の内容】
【特許請求の範囲】
【請求項１】  画像データを符号化する画像処理装置において、
前記画像データに対して過去に行われた符号化に関する情報を取得する取得手段と、
前記画像データを直交変換する直交変換手段と、
高域成分が、２５５未満の値で構成されている第１の量子化マトリクスを記憶する記憶手段と、
量子化に用いられる量子化値および量子化マトリクスを決定する決定手段と、
前記決定手段により決定された前記量子化値および前記量子化マトリクスを用いて、量子化を実行する量子化手段と、
を備え、
前記決定手段は、前記取得手段により取得された前記情報に含まれる前記量子化値が再利用可能である場合、前記取得手段により取得された前記情報に含まれる第２の量子化マトリクスを量子化に用いることを決定し、前記情報に含まれる前記量子化値が再利用可能ではない場合、前記記憶手段に記憶されている前記第１の量子化マトリクスを量子化に用いることを決定する
ことを特徴とする画像処理装置。
【請求項２】  前記第１の量子化マトリクスは、高域成分が、ＤＣ成分の２倍以下の値で構成されている
ことを特徴とする請求項１に記載の画像処理装置。
【請求項３】  前記第１の量子化マトリクスは、高域成分が、３２以下の値で構成されている
ことを特徴とする請求項１に記載の画像処理装置。
【請求項４】  前記量子化手段により量子化された量子化係数データを符号化する符号化手段を更に備える
ことを特徴とする請求項１に記載の画像処理装置。
【請求項５】  前記記憶手段に記憶されている第１の量子化マトリクスは、イントラマクロブロックの量子化に用いられる量子化マトリクスを含む
ことを特徴とする請求項１に記載の画像処理装置。
【請求項６】  前記記憶手段に記憶されている第１の量子化マトリクスは、イントラマクロブロックの量子化に用いられる第３の量子化マトリクスおよび非イントラマクロブロックの量子化に用いられる第４の量子化マトリクスを含む
ことを特徴とする請求項１に記載の画像処理装置。
【請求項７】  前記記憶手段は、量子化において、前記取得手段により取得された前記情報が再利用されない場合に用いられる第３の量子化マトリクスを更に記憶し、
前記決定手段は、前記取得手段により取得された前記情報が再利用されるか否かを更に判断し、
前記情報が再利用され、かつ、前記取得手段により取得された前記情報に含まれる前記量子化値が再利用可能である場合、前記決定手段は、前記取得手段により取得された前記情報に含まれる前記第２の量子化マトリクスを量子化に用いることを決定し、
前記情報が再利用され、かつ、前記情報に含まれる前記量子化値が再利用可能ではない場合、前記決定手段は、前記記憶手段に記憶されている前記第１の量子化マトリクスを量子化に用いることを決定し、
前記情報が再利用されない場合、前記決定手段は、前記記憶手段に記憶されている前記第３の量子化マトリクスを量子化に用いることを決定する
ことを特徴とする請求項１に記載の画像処理装置。
【請求項８】  前記記憶手段により記憶されている前記第１の量子化マトリクスのＡＣ成分は、全て同一の値である
ことを特徴とする請求項１に記載の画像処理装置。
【請求項９】  画像データを符号化する画像処理装置の画像処理方法において、
前記画像データに対して過去に行われた符号化に関する情報に含まれる量子化値が、量子化に用いられるか否かを判断する判断ステップと、
前記判断ステップの処理により、前記量子化値が量子化に用いられないと判断された場合、高域成分が、２５５未満の値で構成されている第１の量子化マトリクスを、量子化に用いる量子化マトリクスとして選択する第１の選択ステップと、
前記判断ステップの処理により、前記量子化値が量子化に用いられると判断された場合、前記情報に含まれる第２の量子化マトリクスを、量子化に用いる量子化マトリクスとして選択する第２の選択ステップと
を含むことを特徴とする画像処理方法。
【請求項１０】  画像データを符号化する処理をコンピュータに実行させるためのプログラムであって、
前記画像データに対して過去に行われた符号化に関する情報に含まれる量子化値が、量子化に用いられるか否かを判断する判断ステップと、
前記判断ステップの処理により、前記量子化値が量子化に用いられないと判断された場合、高域成分が、２５５未満の値で構成されている第１の量子化マトリクスを、量子化に用いる量子化マトリクスとして選択する第１の選択ステップと、
前記判断ステップの処理により、前記量子化値が量子化に用いられると判断された場合、前記情報に含まれる第２の量子化マトリクスを、量子化に用いる量子化マトリクスとして選択する第２の選択ステップと
を含むことを特徴とするコンピュータが読み取り可能なプログラムが記録されている記録媒体。
【請求項１１】  画像データを符号化する処理をコンピュータに実行させるためのプログラムであって、
前記画像データに対して過去に行われた符号化に関する情報に含まれる量子化値が、量子化に用いられるか否かを判断する判断ステップと、
前記判断ステップの処理により、前記量子化値が量子化に用いられないと判断された場合、高域成分が、２５５未満の値で構成されている第１の量子化マトリクスを、量子化に用いる量子化マトリクスとして選択する第１の選択ステップと、
前記判断ステップの処理により、前記量子化値が量子化に用いられると判断された場合、前記情報に含まれる第２の量子化マトリクスを、量子化に用いる量子化マトリクスとして選択する第２の選択ステップと
を含むことを特徴とするプログラム。
【請求項１２】  画像データを符号化する画像処理装置において、
前記画像データに対して過去に行われた符号化に関する情報を取得する取得手段と、
前記画像データを直交変換する直交変換手段と、
量子化において、前記取得手段により取得された前記情報が再利用されない場合に用いられる第１の量子化マトリクス、および、各成分が前記第１の量子化マトリクス以下の値を有する第２の量子化マトリクスを記憶する記憶手段と、
量子化に用いられる量子化値および量子化マトリクスを決定する決定手段と、
前記決定手段により決定された前記量子化値および前記量子化マトリクスを用いて、量子化を実行する量子化手段と
を備え、
前記決定手段は、
前記情報が再利用され、かつ、前記取得手段により取得された前記情報に含まれる前記量子化値が再利用可能である場合、前記取得手段により取得された前記情報に含まれる第３の量子化マトリクスを量子化に用いることを決定し、
前記情報が再利用され、かつ、前記情報に含まれる前記量子化値が再利用可能ではない場合、前記記憶手段に記憶されている前記第２の量子化マトリクスを量子化に用いることを決定し、
前記情報が再利用されない場合、前記記憶手段に記憶されている前記第１の量子化マトリクスを量子化に用いることを決定する
ことを特徴とする画像処理装置。
【請求項１３】  画像データを符号化する画像処理装置の画像処理方法において、
前記画像データに対して過去に行われた符号化に関する情報を再利用するか否かを判断する第１の判断ステップと、
前記第１の判断ステップの処理により、前記過去の符号化の情報が再利用されないと判断された場合、所定の第１の量子化マトリクスを、量子化に用いる量子化マトリクスとして選択する第１の選択ステップと、
前記第１の判断ステップの処理により、前記過去の符号化に関する情報が再利用されると判断された場合、前記情報に含まれる量子化値が、量子化に用いられるか否かを判断する第２の判断ステップと、
前記第２の判断ステップの処理により、前記量子化値が量子化に用いられないと判断された場合、各成分が前記第１の量子化マトリクス以下の値を有する第２の量子化マトリクスを、量子化に用いる量子化マトリクスとして選択する第２の選択ステップと、
前記第２の判断ステップの処理により、前記量子化値が量子化に用いられると判断された場合、前記情報に含まれる第３の量子化マトリクスを、量子化に用いる量子化マトリクスとして選択する第３の選択ステップと
を含むことを特徴とする画像処理方法。
【請求項１４】  画像データを符号化する処理をコンピュータに実行させるためのプログラムであって、
前記画像データに対して過去に行われた符号化に関する情報を再利用するか否かを判断する第１の判断ステップと、
前記第１の判断ステップの処理により、前記過去の符号化の情報が再利用されないと判断された場合、所定の第１の量子化マトリクスを、量子化に用いる量子化マトリクスとして選択する第１の選択ステップと、
前記第１の判断ステップの処理により、前記過去の符号化に関する情報が再利用されると判断された場合、前記情報に含まれる量子化値が、量子化に用いられるか否かを判断する第２の判断ステップと、
前記第２の判断ステップの処理により、前記量子化値が量子化に用いられないと判断された場合、各成分が前記第１の量子化マトリクス以下の値を有する第２の量子化マトリクスを、量子化に用いる量子化マトリクスとして選択する第２の選択ステップと、
前記第２の判断ステップの処理により、前記量子化値が量子化に用いられると判断された場合、前記情報に含まれる第３の量子化マトリクスを、量子化に用いる量子化マトリクスとして選択する第３の選択ステップと
を含むことを特徴とするコンピュータが読み取り可能なプログラムが記録されている記録媒体。
【請求項１５】  画像データを符号化する処理をコンピュータに実行させるためのプログラムであって、
前記画像データに対して過去に行われた符号化に関する情報を再利用するか否かを判断する第１の判断ステップと、
前記第１の判断ステップの処理により、前記過去の符号化の情報が再利用されないと判断された場合、所定の第１の量子化マトリクスを、量子化に用いる量子化マトリクスとして選択する第１の選択ステップと、
前記第１の判断ステップの処理により、前記過去の符号化に関する情報が再利用されると判断された場合、前記情報に含まれる量子化値が、量子化に用いられるか否かを判断する第２の判断ステップと、
前記第２の判断ステップの処理により、前記量子化値が量子化に用いられないと判断された場合、各成分が前記第１の量子化マトリクス以下の値を有する第２の量子化マトリクスを、量子化に用いる量子化マトリクスとして選択する第２の選択ステップと、
前記第２の判断ステップの処理により、前記量子化値が量子化に用いられると判断された場合、前記情報に含まれる第３の量子化マトリクスを、量子化に用いる量子化マトリクスとして選択する第３の選択ステップと
を含むことを特徴とするプログラム。
【請求項１６】  画像データを変換する情報処理装置において、
供給された前記画像データを完全に、または、復号の工程の途中まで復号する復号手段と、
前記復号手段により完全に復号されたベースバンドの前記画像データ、または、前記復号手段により復号の工程の途中まで復号されて生成された、中途段階まで符号化された前記画像データを、符号化の工程の途中まで、または、完全に符号化する符号化手段と
を備え、
前記符号化手段は、
前記画像データに対して過去に行われた符号化に関する情報を取得する取得手段と、
前記画像データを直交変換する直交変換手段と、
高域成分が、２５５未満の値で構成されている第１の量子化マトリクスを記憶する記憶手段と、
量子化に用いられる量子化値および量子化マトリクスを決定する決定手段と、
前記決定手段により決定された前記量子化値および前記量子化マトリクスを用いて、量子化を実行する量子化手段と、
を備え、
前記決定手段は、前記取得手段により取得された前記情報に含まれる前記量子化値が再利用可能である場合、前記取得手段により取得された前記情報に含まれる第２の量子化マトリクスを量子化に用いることを決定し、前記情報に含まれる前記量子化値が再利用可能ではない場合、前記記憶手段に記憶されている前記第１の量子化マトリクスを量子化に用いることを決定する
ことを特徴とする情報処理装置。
【請求項１７】  画像データを変換する情報処理装置において、
供給された前記画像データを完全に、または、復号の工程の途中まで復号する復号手段と、
前記復号手段により完全に、または、復号の工程の途中まで復号された前記画像データを、前記復号手段による復号の状態に対応する方法で符号化する符号化手段と
を備え、
前記符号化手段は、
前記画像データに対して過去に行われた符号化に関する情報を取得する取得手段と、
前記画像データを直交変換する直交変換手段と、
量子化において、前記取得手段により取得された前記情報が再利用されない場合に用いられる第１の量子化マトリクス、および、各成分が前記第１の量子化マトリクス以下の値を有する第２の量子化マトリクスを記憶する記憶手段と、
量子化に用いられる量子化値および量子化マトリクスを決定する決定手段と
前記決定手段により決定された前記量子化値および前記量子化マトリクスを用いて、量子化を実行する量子化手段と
を備え、
前記決定手段は、
前記情報が再利用され、かつ、前記取得手段により取得された前記情報に含まれる前記量子化値が再利用可能である場合、前記取得手段により取得された前記情報に含まれる第３の量子化マトリクスを量子化に用いることを決定し、
前記情報が再利用され、かつ、前記情報に含まれる前記量子化値が再利用可能ではない場合、前記記憶手段に記憶されている前記第２の量子化マトリクスを量子化に用いることを決定し、
前記情報が再利用されない場合、前記記憶手段に記憶されている前記第１の量子化マトリクスを量子化に用いることを決定する
ことを特徴とする情報処理装置。
【請求項１８】
符号化ストリームを再符号化する画像処理装置において、
前記符号化ストリームに対する過去の符号化処理における履歴量子化値を、前記符号化ストリームとともに取得する取得手段と、
前記取得手段により取得された前記履歴量子化値が再利用可能であるかを判定する判定手段と、
前記符号化ストリームを再符号化して再符号化ストリームを生成する再符号化手段と、
前記判定手段により再利用可能でないと判定された場合に、ＡＣ成分の値を小さくしたイントラ量子化マトリクスを利用して再符号化するように、前記再符号化手段を制御する制御手段と
を備える画像処理装置。
【請求項１９】
前記イントラ量子化マトリクスは、高域のＡＣ成分の値が低域のＡＣ成分と同一又は略同一の値で構成された量子化マトリクスである
請求項１８に記載の画像処理装置。
【請求項２０】
前記取得手段は、前記符号化ストリームに対する過去の符号化処理における履歴符号化パラメータを更に取得し、
前記判定手段は、前記取得手段により取得された前記履歴符号化パラメータが示す画像枠の位置及び大きさと再符号化する際の画像枠の位置及び大きさとが一致しているかに基づいて、前記履歴量子化値が再利用可能であるかを判定する
請求項１８に記載の画像処理装置。
【請求項２１】
前記取得手段は、前記符号化ストリームに対する過去の符号化処理における履歴符号化パラメータを更に取得し、
前記判定手段は、前記取得手段により取得された前記履歴符号化パラメータが示す以前の符号化におけるクロマフォーマットが、今回の符号化におけるクロマフォーマットより大きいかに基づいて、前記履歴量子化値が再利用可能であるかを判定する
請求項１８に記載の画像処理装置。
【請求項２２】
前記取得手段は、前記符号化ストリームに対する過去の符号化処理における履歴符号化パラメータを更に取得し、
前記判定手段は、前記過去の符号化処理におけるビットレートが再符号化する際のビットレートよりも小さいかに基づいて、前記履歴量子化値が再利用可能であるかを判定する
請求項１８に記載の画像処理装置。
【請求項２３】
前記再符号化手段は、全てのピクチャがIピクチャとなるように前記再符号化ストリームを生成する
請求項１８に記載の画像処理装置。
【請求項２４】
前記再符号化手段は、前記符号化ストリームのビットレートより小さいビットレートとなるように、前記再符号化ストリームを生成する
請求項１８に記載の画像処理装置。
【手続補正２】
【補正対象書類名】明細書
【補正対象項目名】００４７
【補正方法】変更
【補正の内容】
【００４７】
本発明の第１の情報処理装置は、供給された画像データを完全に、または復号の工程の途中まで復号する復号手段と、復号手段により完全に復号されたベースバンドの画像データ、または、復号手段により復号の工程の途中まで復号されて生成された、中途段階まで符号化された画像データを、符号化の工程の途中まで、または、完全に符号化する符号化手段とを備え、符号化手段は、画像データに対して過去に行われた符号化に関する情報を取得する取得手段と、画像データを直交変換する直交変換手段と、高域成分が、２５５未満の値で構成されている第１の量子化マトリクスを記憶する記憶手段と、量子化に用いられる量子化値および量子化マトリクスを決定する決定手段と、決定手段により決定された量子化値および量子化マトリクスを用いて、量子化を実行する量子化手段とを備え、決定手段は、取得手段により取得された情報に含まれる量子化値が再利用可能である場合、取得手段により取得された情報に含まれる第２の量子化マトリクスを量子化に用いることを決定し、情報に含まれる量子化値が再利用可能ではない場合、記憶手段に記憶されている第１の量子化マトリクスを量子化に用いることを決定することを特徴とする。
【手続補正３】
【補正対象書類名】明細書
【補正対象項目名】００４８
【補正方法】変更
【補正の内容】
【００４８】
本発明の第１の情報処理装置においては、供給された画像データが完全または復号の工程の途中まで復号され、完全に復号されたベースバンドの画像データ、または、中途段階まで符号化された前記画像データが、符号化の工程の途中まで、または、完全に符号化され、符号化において、画像データに対して過去に行われた符号化に関する情報が取得され、画像データが直交変換され、高域成分が、２５５未満の値で構成されている第１の量子化マトリクスが記憶され、量子化に用いられる量子化値および量子化マトリクスが決定され、決定された量子化値および量子化マトリクスが用いられて、量子化が実行され、量子化値および量子化マトリクスの決定においては、取得された情報に含まれる量子化値が再利用可能である場合、取得された情報に含まれる第２の量子化マトリクスを量子化に用いることが決定され、情報に含まれる量子化値が再利用可能ではない場合、記憶されている第１の量子化マトリクスを量子化に用いることが決定される。
【手続補正４】
【補正対象書類名】明細書
【補正対象項目名】００４９
【補正方法】変更
【補正の内容】
【００４９】
本発明の第２の情報処理装置は、供給された画像データを完全に、または、復号の工程の途中まで復号する復号手段と、復号手段により完全に、または、復号の工程の途中まで復号された画像データを、復号手段による復号の状態に対応する方法で符号化する符号化手段とを備え、符号化手段は、画像データに対して過去に行われた符号化に関する情報を取得する取得手段と、画像データを直交変換する直交変換手段と、量子化において、取得手段により取得された情報が再利用されない場合に用いられる第１の量子化マトリクス、および、各成分が第１の量子化マトリクス以下の値を有する第２の量子化マトリクスを記憶する記憶手段と、量子化に用いられる量子化値および量子化マトリクスを決定する決定手段と、決定手段により決定された量子化値および量子化マトリクスを用いて、量子化を実行する量子化手段とを備え、決定手段は、情報が再利用され、かつ、取得手段により取得された情報に含まれる量子化値が再利用可能である場合、取得手段により取得された情報に含まれる第３の量子化マトリクスを量子化に用いることを決定し、情報が再利用され、かつ、情報に含まれる量子化値が再利用可能ではない場合、記憶手段に記憶されている第２の量子化マトリクスを量子化に用いることを決定し、情報が再利用されない場合、記憶手段に記憶されている第１の量子化マトリクスを量子化に用いることを決定することを特徴とする。
【手続補正５】
【補正対象書類名】明細書
【補正対象項目名】００５０
【補正方法】変更
【補正の内容】
【００５０】
本発明の第２の情報処理装置においては、供給された画像データが完全または復号の工程の途中まで復号され、復号の状態に対応する方法で画像データが符号化され、符号化において、画像データに対して過去に行われた符号化に関する情報が取得され、画像データが直交変換され、量子化において、取得された情報が再利用されない場合に用いられる第１の量子化マトリクス、および、各成分が第１の量子化マトリクス以下の値を有する第２の量子化マトリクスが記憶され、量子化に用いられる量子化値および量子化マトリクスが決定され、決定された量子化値および量子化マトリクスを用いて、量子化が実行され、情報が再利用され、かつ、取得手段により取得された情報に含まれる量子化値が再利用可能である場合、取得された情報に含まれる第３の量子化マトリクスを量子化に用いることが決定され、情報が再利用され、かつ、情報に含まれる量子化値が再利用可能ではない場合、記憶されている第２の量子化マトリクスを量子化に用いることが決定され、情報が再利用されない場合、記憶されている第１の量子化マトリクスを量子化に用いることが決定される。
本発明の第２の画像処理装置は、符号化ストリームに対する過去の符号化処理における履歴量子化値を、符号化ストリームとともに取得する取得手段と、取得手段により取得された履歴量子化値が再利用可能であるかを判定する判定手段と、符号化ストリームを再符号化して再符号化ストリームを生成する再符号化手段と、判定手段により再利用可能でないと判定された場合に、ＡＣ成分の値を小さくしたイントラ量子化マトリクスを利用して再符号化するように、再符号化手段を制御する制御手段を備える。
イントラ量子化マトリクスは、高域のＡＣ成分の値が低域のＡＣ成分と同一又は略同一の値で構成された量子化マトリクスであるものとすることができる。
取得手段には、符号化ストリームに対する過去の符号化処理における履歴符号化パラメータを更に取得させるようにすることができ、判定手段には、取得手段により取得された履歴符号化パラメータが示す画像枠の位置及び大きさと再符号化する際の画像枠の位置及び大きさとが一致しているかに基づいて、履歴量子化値が再利用可能であるかを判定させるようにすることができる。
取得手段には、符号化ストリームに対する過去の符号化処理における履歴符号化パラメータを更に取得させるようにすることができ、判定手段には、取得手段により取得された履歴符号化パラメータが示す以前の符号化におけるクロマフォーマットが、今回の符号化におけるクロマフォーマットより大きいかに基づいて、履歴量子化値が再利用可能であるかを判定させるようにすることができる。
取得手段には、符号化ストリームに対する過去の符号化処理における履歴符号化パラメータを更に取得させるようにすることができ、判定手段は、過去の符号化処理におけるビットレートが再符号化する際のビットレートよりも小さいかに基づいて、履歴量子化値が再利用可能であるかを判定させるようにすることができる。
再符号化手段には、全てのピクチャがIピクチャとなるように再符号化ストリームを生成させるようにすることができる。
再符号化手段には、符号化ストリームのビットレートより小さいビットレートとなるように、再符号化ストリームを生成させるようにすることができる。
本発明の第２の画像処理装置においては、符号化ストリームに対する過去の符号化処理における履歴量子化値が、符号化ストリームとともに取得され、取得された履歴量子化値が再利用可能であるかが判定され、符号化ストリームが再符号化されて再符号化ストリームが生成され、再利用可能でないと判定された場合に、ＡＣ成分の値を小さくしたイントラ量子化マトリクスが利用されて再符号化されるように、再符号化が制御される。
【手続補正６】
【補正対象書類名】明細書
【補正対象項目名】００５８
【補正方法】変更
【補正の内容】
【００５８】
請求項１６に記載の情報処理装置（例えば、図５の符号化部１６１、図９の符号化部２１１、もしくは、図１５の符号化装置２５２、もしくは、図１５のトランスコーダ２６１）は、供給された画像データを完全または復号の工程の途中まで復号する復号手段（例えば、図５の復号部１２１、図９の復号部１４１、もしくは、図１５の復号装置２５１）と、復号手段により完全にまたは復号の工程の途中まで復号された画像データを、前記復号手段による復号の状態に対応する方法で符号化する符号化手段（例えば、図５の符号化部１６１、図９の符号化部２１１、もしくは、図１５の符号化装置２５２）とを備え、符号化手段は、画像データに対して過去に行われた符号化に関する情報（例えば、ヒストリー情報、または、パラメータ）を取得する取得手段（例えば、図６のヒストリー抽出部１７１、または、図１０のパラメータ入力部２２１）と、画像データを直交変換する直交変換手段（例えば、図６または図１０のＤＣＴ部１７５）と、高域成分が、２５５未満の値で構成されている第１の量子化マトリクス（例えば、図８または図１３の量子化マトリクス）を記憶する記憶手段（例えば、図６または図１０のメモリ１８５）と、量子化に用いられる量子化値および量子化マトリクスを決定する決定手段（例えば、図６または図１０のレート設定部１７７）と、決定手段により決定された量子化値および量子化マトリクスを用いて、量子化を実行する量子化手段（例えば、図６、または、図１０の量子化部１７６）とを備え、決定手段は、取得手段により取得された情報に含まれる量子化値が再利用可能である場合、取得手段により取得された情報に含まれる第２の量子化マトリクスを量子化に用いることを決定し、情報に含まれる量子化値が再利用可能ではない場合、記憶手段に記憶されている第１の量子化マトリクスを量子化に用いることを決定することを特徴とする。
【手続補正７】
【補正対象書類名】明細書
【補正対象項目名】００５９
【補正方法】変更
【補正の内容】
【００５９】
請求項１７に記載の情報処理装置（例えば、図５のＳＤＩＴ  ＣＰ−ＡＳＩ変換装置１５１、もしくは、図９のLong GOP符号化装置２０１）は、供給された画像データを完全または復号の工程の途中まで復号する復号手段（例えば、図５の復号部１２１、図９の復号部１４１、もしくは、図１５の復号装置２５１）と、復号手段により完全にまたは復号の工程の途中まで復号された画像データを、前記復号手段による復号の状態に対応する方法で符号化する符号化手段（例えば、図５の符号化部１６１、図９の符号化部２１１、もしくは、図１５の符号化装置２５２）とを備え、符号化手段は、画像データに対して過去に行われた符号化に関する情報（例えば、ヒストリー情報、または、パラメータ）を取得する取得手段（例えば、図６のヒストリー抽出部１７１、または、図１０のパラメータ入力部２２１）と、画像データを直交変換する直交変換手段（例えば、図６または図１０のＤＣＴ部１７５）と、量子化において、取得手段により取得された情報が再利用されない場合に用いられる第１の量子化マトリクス（例えば、図７または図１２の量子化マトリクス）、および、各成分が第１の量子化マトリクス以下の値を有する第２の量子化マトリクス（例えば、図８または図１３の量子化マトリクス）を記憶する記憶手段（例えば、図６または図１０のメモリ１８５）と、量子化に用いられる量子化値および量子化マトリクスを決定する決定手段（例えば、図６または図１０のレート設定部１７７）と、決定手段により決定された量子化値および量子化マトリクスを用いて、量子化を実行する量子化手段（例えば、図６、または、図１０の量子化部１７６）とを備え、決定手段は、情報が再利用され、かつ、取得手段により取得された情報に含まれる量子化値が再利用可能である場合、取得手段により取得された情報に含まれる第３の量子化マトリクスを量子化に用いることを決定し、情報が再利用され、かつ、情報に含まれる量子化値が再利用可能ではない場合、記憶手段に記憶されている第２の量子化マトリクスを量子化に用いることを決定し、情報が再利用されない場合、記憶手段に記憶されている第１の量子化マトリクスを量子化に用いることを決定することを特徴とする。
【手続補正８】
【補正対象書類名】明細書
【補正対象項目名】０１７１
【補正方法】変更
【補正の内容】
【０１７１】
更に、他の本発明によれば、画像データを変換することができるほか、変換処理における符号化処理において、過去の符号化において用いられた情報を再利用するが、量子化値が再利用できない場合に、過去の符号化において用いられた情報を再利用できない場合に用いられる量子化マトリクスよりも小さな値で構成されている量子化マトリクスを用いて量子化を実行することができるので、画質の劣化を防ぐようにすることができる。
また、更に、他の本発明によれば、再符号化を行うことができ、特に、過去の符号化処理における量子化値が再利用可能であるかを判定して、再利用可能でないと判定された場合に、ＡＣ成分の値を小さくしたイントラ量子化マトリクスを利用して再符号化するようにしたので、画質の劣化を防ぐようにすることができる。